(57)【特許請求の範囲】
【請求項１】
移動局装置がアップリンク変調方式を選択する方法であって、
ダウンリンク制御情報（ＤＣＩ）を受信するステップと、
スイッチングビットを含んだ前記ＤＣＩをデコードするステップと、
前記スイッチングビットによって、アップリンク変調方式として、ＳＣ−ＦＤＭＡかクラスタ化ＳＣ−ＦＤＭＡかを選択するステップと、
選択された前記アップリンク変調方式を用いて、アップリンク信号を送信するステップとを有することを特徴とする方法。
【請求項２】
受信した前記ＤＣＩは、プレコーディングマトリックスインデックス（ＰＭＩ）情報を含むことを特徴とする請求項１に記載の方法。
【請求項３】
受信した前記ＤＣＩは、変調／符号化方式（ＭＣＳ）を１つだけ含むことを特徴とする請求項１に記載の方法。
【請求項４】
基地局装置で実行されることによって、アップリンク変調方式を選択する方法であって、
移動局装置で使用されるアップリンク変調方式を決定するステップと、
決定された前記アップリンク変調方式を示すスイッチングビットを含んだダウンリンク制御情報（ＤＣＩ）のフォーマットを選択するステップと、
前記移動局装置へ前記ＤＣＩを送信するステップとを有することを特徴とする方法。
【請求項５】
送信した前記ＤＣＩは、プレコーディングマトリックスインデックス（ＰＭＩ）情報を含むことを特徴とする請求項４に記載の方法。
【請求項６】
送信した前記ＤＣＩは、変調／符号化方式（ＭＣＳ）を１つだけ含むことを特徴とする請求項４に記載の方法。
【請求項７】
アップリンク変調方式を選択する移動局装置であって、
ダウンリンク制御情報（ＤＣＩ）を受信する手段と、
スイッチングビットを含んだ前記ＤＣＩをデコードする手段と、
前記スイッチングビットによって、アップリンク変調方式として、ＳＣ−ＦＤＭＡかクラスタ化ＳＣ−ＦＤＭＡかを選択する手段と、
選択された前記アップリンク変調方式を用いて、アップリンク信号を送信する手段とを有することを特徴とする移動局装置。
【請求項８】
受信した前記ＤＣＩは、プレコーディングマトリックスインデックス（ＰＭＩ）情報を含むことを特徴とする請求項７に記載の移動局装置。
【請求項９】
受信した前記ＤＣＩは、変調／符号化方式（ＭＣＳ）を１つだけ含むことを特徴とする請求項７に記載の移動局装置。
【請求項１０】
アップリンク変調方式の選択に用いられる基地局装置であって、
移動局装置で使用されるアップリンク変調方式を決定する手段と、
決定された前記アップリンク変調方式を示すスイッチングビットを含んだダウンリンク制御情報（ＤＣＩ）のフォーマットを選択する手段と、
前記移動局装置へ前記ＤＣＩを送信する手段とを有することを特徴とする基地局装置。
【請求項１１】
送信した前記ＤＣＩは、プレコーディングマトリックスインデックス（ＰＭＩ）情報を含むことを特徴とする請求項１０に記載の基地局装置。
【請求項１２】
送信した前記ＤＣＩは、変調／符号化方式（ＭＣＳ）を１つだけ含むことを特徴とする請求項１０に記載の基地局装置。
【請求項１３】
アップリンク変調方式を選択する移動局装置に備えられる集積回路であって、
ダウンリンク制御情報（ＤＣＩ）を受信する手段と、
スイッチングビットを含んだ前記ＤＣＩをデコードする手段と、
前記スイッチングビットによって、アップリンク変調方式として、ＳＣ−ＦＤＭＡかクラスタ化ＳＣ−ＦＤＭＡかを選択する手段と、
選択された前記アップリンク変調方式を用いて、アップリンク信号を送信する手段と、として機能することを特徴とする集積回路。
【請求項１４】
受信した前記ＤＣＩは、プレコーディングマトリックスインデックス（ＰＭＩ）情報を含むことを特徴とする請求項１３に記載の集積回路。
【請求項１５】
受信した前記ＤＣＩは、変調／符号化方式（ＭＣＳ）を１つだけ含むことを特徴とする請求項１３に記載の集積回路。
【請求項１６】
アップリンク変調方式の選択に用いられる基地局装置に備えられる集積回路であって、
移動局装置で使用されるアップリンク変調方式を決定する手段と、
決定された前記アップリンク変調方式を示すスイッチングビットを含んだダウンリンク制御情報（ＤＣＩ）のフォーマットを選択する手段と、
前記移動局装置へ前記ＤＣＩを送信する手段と、として機能することを特徴とする集積回路。
【請求項１７】
受信した前記ＤＣＩは、プレコーディングマトリックスインデックス（ＰＭＩ）情報を含むことを特徴とする請求項１６に記載の集積回路。
【請求項１８】
受信した前記ＤＣＩは、変調／符号化方式（ＭＣＳ）を１つだけ含むことを特徴とする請求項１６に記載の集積回路。
【発明の詳細な説明】
【技術分野】
【０００１】
本開示は、概して、通信システムまたは無線通信システムに関する。より詳しく言うと、本開示は、例えば、ＯＦＤＭＡとＳＣ−ＦＤＭＡとを切り替えるためのシステムおよび方法に関する。
【背景技術】
【０００２】
無線通信装置は、消費者のニーズを満たし、携帯性および利便性を向上させるために、より小型でより強力なものになっている。消費者は、携帯電話、携帯情報端末（ＰＤＡ）、ラップトップコンピュータなどの無線通信装置に頼るようになっている。消費者は、より信頼性の高いサービス、より広範なサービスエリア、そして、より多くの機能を期待している。
【０００３】
無線通信装置は、ユーザ装置、移動局、加入局、アクセス端末、遠隔ステーション、ユーザ端末、端末、加入者ユニットなどと呼称されることもある。ここでは、「ユーザ装置」（ＵＥ）という用語を用いる。
【０００４】
無線通信システムは、複数のセルとの通信に供するものである。これら複数のセルの各々は、ノードＢによるサービスを受けるものである。このノードＢはＵＥと通信する固定局であってもよい。ノードＢを、基地局、アクセスポイント、または他の用語で呼称してもよい。ここでは、「ノードＢ」（ＮＢ）という用語を用いる。
【０００５】
ＵＥは、アップリンク又はダウンリンクを介して１つ以上のノードＢと通信し得る。アップリンク（すなわち逆方向リンク）とは、ＵＥからノードＢへの通信リンクを指し、ダウンリンク（すなわち順方向リンク）とは、ノードＢからＵＥへの通信リンクを指す。無線通信システムは、複数のＵＥとの通信を同時にサポートし得る。
【０００６】
利用可能なシステムリソース（例えば帯域幅および伝送電力）を共有することによって複数のユーザによる通信をサポートすることができる多元接続システムは、無線通信システムの一例である。このような多元接続システムとしては、例えば、符号分割多元接続（ＣＤＭＡ）システム、時分割多元接続（ＴＤＭＡ）システム、周波数分割多元接続（ＦＤＭＡ）システム、シングルキャリア周波数分割多元接続（ＳＣ−ＦＤＭＡ）システム、クラスタ化ＳＣ−ＦＤＭＡ、ＮｘＳＣ−ＦＤＭＡ（自然数Ｎ×シングルキャリア周波数分割多元接続）、および直交周波数分割多元接続（ＯＦＤＭＡ）システムが挙げられる。
【０００７】
第三世代パートナーシッププロジェクト（すなわち「３ＧＰＰ」）は、グローバルに利用可能な第三世代システムの技術仕様書および技術報告書の策定を目的とする提携合意のためのプロジェクトである。３ＧＰＰロングタームエボルーション（ＬＴＥ）とは、ユニバーサル移動体通信システム（ＵＭＴＳ）携帯電話、または将来的な要求に対応するための装置標準を改善するためのプロジェクトに与えられた名称である。３ＧＰＰは、次世代モバイルネットワーク、次世代モバイルシステム、および次世代モバイル装置の仕様を策定する作業も行っている。ＵＭＴＳは、Ｅ−ＵＴＲＡ（Evolved Universal Terrestrial Radio Access）およびＥ−ＵＴＲＡＮ（Evolved Universal Terrestrial Radio Access Network）のためのサポートおよび仕様を提供するように修正されている。
【発明の概要】
【発明が解決しようとする課題】
【０００８】
本発明の目的は、アップリンク変調方式を切り替え可能な方法および装置を実現することである。
【課題を解決するための手段】
【０００９】
アップリンク変調方式を選択する方法は、ＤＣＩ（ダウンリンク制御情報）を受信するステップを含んでいる。そして、このＤＣＩのフォーマットであるＤＣＩフォーマットを復号し、（復号した）ＤＣＩフォーマットに応じたアップリンク変調方式を決定する。さらに、（決定した）アップリンク変調方式を（実際に使用するアップリンク変調方式として）選択し、選択したアップリンク変調方式に従ってアップリンク信号を送信する。
【００１０】
アップリンク変調方式として、シングルキャリア周波数分割多元接続（ＳＣ−ＦＤＭＡ）、直交周波数分割多元接続（ＯＦＤＭＡ）、Ｎ（Ｎは自然数）×シングルキャリア周波数分割多元接続（ＮｘＳＣ−ＦＤＭＡ）、またはクラスタ化シングルキャリア周波数分割多元接続（クラスタ化ＳＣ−ＦＤＭＡ）を用いる様々な実施形態が考えられる。ユーザ装置（ＵＥ）によるレイヤ１（Ｌ１）／レイヤ２（Ｌ２）信号伝達を用いて上記方法を実施してもよい。
【００１１】
ＤＣＩフォーマットを復号するステップにおいて、ＤＣＩが非隣接リソースブロック（ＲＢ）割当てを含むかを決定してもよい。また、ＤＣＩフォーマットを復号するステップにおいて、ＤＣＩがプレコーディングマトリックスインデックス（ＰＭＩ）を含むかを決定してもよい。さらに、ＤＣＩフォーマットを復号するステップにおいて、ＤＣＩが唯一の変調／符号化方式（ＭＣＳ）を含むかを決定してもよい。アップリンク変調方式は、ＤＣＩスイッチングビットに基づいて選択されてもよい。
【００１２】
ＤＣＩフォーマットが非隣接リソースブロック（ＲＢ）割当ておよび／またはプレコーディングマトリックスインデックス（ＰＭＩ）を含む場合、アップリンク変調方式として、例えば、直交周波数分割多元接続（ＯＦＤＭＡ）、クラスタ化シングルキャリア周波数分割多元接続 (クラスタ化ＳＣ−ＦＤＭＡ)、またはＮ（Ｎは自然数）×シングルキャリア周波数分割多元接続（ＮｘＳＣ−ＦＤＭＡ）を用いることができる。ＤＣＩフォーマットが非隣接ＲＢ割当てまたはＰＭＩを含まない場合、アップリンク変調方式として、例えば、シングルキャリア周波数分割多元接続（ＳＣ−ＦＤＭＡ）を用いることができる。
【００１３】
ＵＥは、３ＧＰＰ  ＬＴＥ−Ａｄｖａｎｃｅｄシステムにおいて動作するように構成されていてもよい。ＤＣＩフォーマットが非隣接リソースブロック（ＲＢ）割当てを含む場合、アップリンク変調方式として、例えば、直交周波数分割多元接続（ＯＦＤＭＡ）、クラスタ化シングルキャリア周波数分割多元接続（クラスタ化ＳＣ−ＦＤＭＡ）、またはＮ（Ｎは自然数）×シングルキャリア周波数分割多元接続（ＮｘＳＣ−ＦＤＭＡ）を用いることができる。ＤＣＩフォーマットが隣接ＲＢ割当てを含む場合、アップリンク変調方式として、シングルキャリア周波数分割多元接続（ＳＣ−ＦＤＭＡ）を用いることができる。
【００１４】
ＤＣＩフォーマットが非隣接リソースブロック（ＲＢ）割当てを含む場合、アップリンク変調方式として、例えば、直交周波数分割多元接続（ＯＦＤＭＡ）、クラスタ化シングルキャリア周波数分割多元接続（クラスタ化ＳＣ−ＦＤＭＡ）、またはＮ（Ｎは自然数）×シングルキャリア周波数分割多元接続（ＮｘＳＣ−ＦＤＭＡ）を用いることができる。ＤＣＩフォーマットが非隣接ＲＢ割当ておよびプレコーディングマトリックスインデックス（ＰＭＩ）を含まない場合、アップリンク変調方式として、例えば、シングルキャリア周波数分割多元接続（ＳＣ−ＦＤＭＡ）を用いることができる。ＤＣＩフォーマットが隣接ＲＢ割当ておよびプレコーディングマトリックスインデックス（ＰＭＩ）を含む場合、アップリンク変調方式として、例えば、ＤＣＩにおけるスイッチングビットに応じたＯＦＤＭＡまたはＳＣ−ＦＤＭＡを用いることができる。
【００１５】
アップリンク変調方式を決定するステップにおいて、ＤＣＩフォーマットとアップリンクデータ伝送テーブルと比較してもよい。アップリンクデータ伝送テーブルにおけるフォーマットは、物理アップリンク制御チャネル（ＰＵＣＣＨ）に割当てられたリソースをパンクチャするために使用することができる。リソースのパンクチャは、無線リソース制御（ＲＲＣ）信号伝達を介してＵＥに通信されてもよい。ＲＲＣ信号伝達は、放送チャネル（ＢＣＨ）における「最大ＳＲＳ（sounding reference signal）帯域幅」および／または「ＰＵＣＣＨリソースサイズ」を意味することもある。
【００１６】
アップリンク変調方式を選択するように構成されたユーザ装置（ＵＥ）を開示する。ユーザ装置は、プロセッサと、そのプロセッサと電気的に通信するメモリとを有する。このユーザ装置において、ダウンリンク制御情報（ＤＣＩ）が受信される。そして、ＤＣＩフォーマットが復号され、そのＤＣＩフォーマットに応じたアップリンク変調方式が決定される。さらに、アップリンク変調方式が選択され、そのアップリンク変調方式に応じたアップリンク信号が送信される。
【００１７】
また、無線通信システムにおいてアップリンク変調方式を選択するように構成された基地局を開示する。基地局は、プロセッサと、プロセッサと電気的に通信するメモリとを有する。このメモリには、実行可能な命令が保存される。この基地局において、ユーザ装置（ＵＥ）の位置が決定される。そして、ＵＥが使用するアップリンク変調方式が決定される。さらに、そのアップリンク変調方式に応じたＤＣＩ（ダウンリンク制御情報）フォーマットが選択される。そして、そのＤＣＩフォーマットがＵＥに送信される。
【００１８】
基地局は、３ＧＰＰ  ＬＴＥ−Ａｄｖａｎｃｅｄシステムにおいて動作するように構成されていてもよい。ＤＣＩフォーマットは、ＵＥの伝送モードに基づいて選択されてもよい。ＤＣＩフォーマットは、ＵＥの位置に基づいて選択されてもよい。上記命令を実行することにより、Ｌ１／Ｌ２信号伝達を用いてＤＣＩがＵＥに送信される。
【００１９】
コンピュータ読み取り可能な媒体についても開示する。コンピュータ読み取り可能な媒体は、実行可能な複数の命令を含む。これらの命令によって、ダウンリンク制御情報（ＤＣＩ）が受信される。そして、ＤＣＩフォーマットが復号され、そのＤＣＩフォーマットに応じたアップリンク変調方式が決定される。アップリンク変調方式が選択され、そのアップリンク変調方式に応じたアップリンク信号が伝送される。
【００２０】
添付の図面と併せて、以下の本発明の詳細な説明を考慮すれば、本発明の目的（上記の目的および他の目的）、特徴、および利点がより容易に理解されるであろう。
【発明の効果】
【００２１】
本発明によれば、アップリンク変調方式を切り替え可能な方法および装置を実現することができる。
【図面の簡単な説明】
【００２２】
【図１】本システムおよび本方法を実施する無線通信システムを示す。
【図２】本システムおよび本方法を実施する無線通信システムを示す。
【図３】本システムおよび本方法を実行するために使用される様々な構成要素を示す。
【図４】アップリンク変調方式としてＳＣ−ＦＤＭＡとＯＦＤＭＡとをスイッチングするための方法を示すフローチャートである。
【図５】アップリンク変調方式としてＳＣ−ＦＤＭＡとＯＦＤＭＡとをスイッチングするためのより詳細な方法を示すフローチャートである。
【図６】アップリンク変調方式としてＳＣ−ＦＤＭＡとＯＦＤＭＡとをスイッチングするための他の方法を示すフローチャートである。
【図７】アップリンク変調方式としてＳＣ−ＦＤＭＡとＯＦＤＭＡとをスイッチングするための他の方法を示すフローチャートである。
【図８】ノードＢとＵＥとの間のＬ１／Ｌ２信号伝達を示す。
【図９】ＬＴＥアップリンク伝送のリソースブロック（ＲＢ）割当てを示す。
【図１０】ＬＴＥ−Ａｄｖａｎｃｅｄアップリンク伝送のＲＢ割当てを示す。
【図１１】上記システムおよび方法の一形態に基づくＵＥのブロック図である。
【図１２】上記システムおよび方法の一形態に基づく基地局のブロック図である。
【発明を実施するための形態】
【００２３】
３ＧＰＰ  ＬＴＥシステムのアップリンク伝送方法は、ＳＣ−ＦＤＭＡに基づいている。３ＧＰＰ  ＬＴＥ−Ａｄｖａｎｃｅｄでは、ＳＣ−ＦＤＭＡの他に、ＯＦＤＭＡがアップリンク伝送方式に追加される可能性がある。ＮｘＳＣ−ＦＤＭＡおよびクラスタ化ＳＣ−ＦＤＭＡもまたＬＴＥ−Ａｄｖａｎｃｅｄのアップリンク伝送方式に追加される可能性がある。ＯＦＤＭＡシステムでは、利用可能なスペクトルをサブキャリアと呼ばれる複数のキャリアに分割する。これらのサブキャリアの各々が低速データストリームによって個別に変調される。
【００２４】
直交周波数分割多元接続（ＯＦＤＭＡ）は、情報伝送のために互いに直交する複数の周波数を用いることによって、利用可能な帯域上で複数のユーザによるアクセスを可能にするものである。ＯＦＤＭＡは、変調して送信する前に信号をＩＦＦＴ（逆フーリエ変換）に通す。各ユーザに特定の時間／周波数リソースが割当てられる。データチャネルは、共有チャネルであってもよい。すなわち、どのユーザにどの時間／周波数リソースを割当てるかについて、スケジューリング決定を伝送時間間隔毎にやり直すようにしてもよい。無線フレームは、一定数の同一サイズのスロットに分割されていてもよい。サブフレームは、２つの隣接スロットからなるものであってもよい。ＯＦＤＭＡシステムは、高いピーク対平均電力比（ＰＡＰＲ）を有していてもよい。
【００２５】
また、シングルキャリア周波数分割多元接続（ＳＣ−ＦＤＭＡ）も、情報伝送のために互いに直交する複数の周波数を用いることによって、利用可能な帯域上で複数のユーザによるアクセスを可能にするものである。しかし、ＯＦＤＭＡとは違い、ＳＣ−ＦＤＭＡは、ＩＦＦＴする前に信号をＤＦＴ（離散型フーリエ変換）に通すので、ＰＡＰＲを低減させるが、複雑性が増す。ＳＣ−ＦＤＭＡは、受信機においてもさらなる複雑性を要求する。
【００２６】
クラスタ化ＳＣ−ＦＤＭＡは、ＳＣ−ＦＤＭＡに極めて類似している。ＳＣ−ＦＤＭＡでは、ＤＦＴ出力がＩＦＦＴ入力に隣接してマッピングされる。一方で、クラスタ化ＳＣ−ＦＤＭＡでは、ＤＦＴ出力が複数のクラスタに分割され、ＩＦＦＴ入力にマッピングされる。これらのクラスタの間は、ゼロ入力で満たされている。クラスタ化ＳＣ−ＦＤＭＡは、上記機構によって非隣接周波数割当てをサポートする。
【００２７】
ＮｘＳＣ−ＦＤＭＡも、ＳＣ−ＦＤＭＡに類似している。非隣接周波数割当てを得るために、ＮｘＳＣ−ＦＤＭＡにおいては、複数のＤＦＴを用いる。これらの出力がＩＦＦＴにマッピングされる。ＩＦＦＴの出力は、複数のシングルキャリア信号になる。
【００２８】
相異なる複数のチャネルが３ＧＰＰ  ＬＴＥシステム用に規定されている。ダウンリンク伝送のために、物理ダウンリンク共有チャネル（ＰＤＳＣＨ）を介してユーザデータが搬送される。物理ダウンリンク制御チャネル（ＰＤＣＣＨ）を介したダウンリンク制御信号伝達により、スケジューリング決定が個々のＵＥに伝達される。ＰＤＣＣＨは、サブフレームの最初のＯＦＤＭＡシンボル内に配置される。
【００２９】
共有データチャネルの変調方式および符号化方式は、固定されておらず、無線リンクの品質に適応する。ＵＥは、チャネル品質指標（ＣＱＩ）情報をノードＢに定期的に通知する。
【００３０】
アップリンク伝送のために、物理アップリンク共有チャネル（ＰＵＳＣＨ）を介してユーザデータが搬送される。物理アップリンク制御チャネル（ＰＵＣＣＨ）は、アップリンク制御情報、例えば、ＣＱＩレポートやダウンリンクで受信されたデータパケットに関するＡＣＫ／ＮＡＣＫ情報などを搬送する。ＵＥは、ＰＵＳＣＨを介して送信するデータが何もない場合、ＰＵＣＣＨを使用する。ＵＥは、ＰＵＳＣＨを介して送信するデータがある場合、ＰＵＳＣＨを介して送信するデータに制御情報を多重化する。
【００３１】
リソースブロック（ＲＢ）に関して、データがＵＥに割当てられる。リソースブロックは、特定の物理チャネルのリソース要素へのマッピングを記述するために使用される。物理リソースブロックは、時間領域における一定数の連続ＯＦＤＭＡシンボル、および周波数領域における一定数の連続サブキャリアとして規定される。
【００３２】
図１は、本システムおよび方法を実施する無線通信システム１００を示す。通信システム１００では、伝送信号が移動局から基地局へ、そして基地局から移動局へ送信される。移動局から基地局への通信をアップリンク通信１０６ａ〜ｃとする。同様に、基地局から移動局への通信をダウンリンク通信１０８ａ〜ｃとする。
【００３３】
本願に記載した本システムおよび方法は、３ＧＰＰ  ＬＴＥ  Ａｄｖａｎｃｅｄシステムに関するものである。しかし、本システムおよび方法は、ＩＥＥＥ８０２．１６（ＷｉＭＡＸ）システムや、ユーザのスケジューリングが可能な他のシステムなど、他の通信システムに利用されてもよい。
【００３４】
基地局をノードＢ１０２とする。移動局をユーザ装置（ＵＥ）１０４とする。ノードＢ１０２は、１つ以上のＵＥ１０４と無線通信を行ってもよい（このＵＥ１０４は、ユーザ装置、通信機器、加入者ユニット、アクセス端末、端末などと称されてもよい）。ノードＢ１０２は、セルからデータを受信することに適合したユニットであっても、セルにデータを送信することに適合したユニットであってもよい。図示されていないが、無線通信システム１００は、図１に示されたノードＢ１０２を１つ以上、ＵＥ１０４を３つ以上備えていてもよい。
【００３５】
一例では、ノードＢ１０２が、ノードＢ１０２近傍の特定の地理的領域（これをセルとする）を対象として無線インターフェースを介する通信を行う。セクタ分割に応じて、１つ以上のセルがノードＢ１０２によるサービスを受ける。したがって、ＵＥ１０４が配置された場所に応じて、ノードＢ１０２が１つ以上のＵＥ１０４をサポートし得る。一実施形態では、ノードＢ１０２が３ＧＰＰ（Release 8）ロングタームエボルーション（ＬＴＥ）エアインターフェースを提供し、通信システム１００の無線リソース管理を行う。他の形態では、ノードＢ１０２が３ＧＰＰ  ＬＴＥ−Ａｄｖａｎｃｅｄエアインターフェースを提供する。
【００３６】
上述したように、ノードＢ１０２は、１つ以上のＵＥ１０４と電気的に接続されていてもよい。第一ＵＥ１０４ａ、第二ＵＥ１０４ｂ、および第三ＵＥ１０４ｃを図１に示す。ノードＢ１０２は、無線周波数（ＲＦ）通信チャネルを介してＵＥ１０４にデータを送信し、ＵＥ１０４からデータを受信する。
【００３７】
ＵＥ１０４に送信された信号は、データ要求を含んでいてもよい。ノードＢ１０２によって送信された信号は、特定のＵＩ１０４により要求されたデータ、例えば、ダウンロードされたインターネットデータであってもよい。または、ノードＢ１０２およびＵＥ１０４によって送信された信号は、無線通信システム１００を維持するためのデータを含んでいてもよい。例えば、ノードＢ１０２は、チャネル推定を要求するＵＥ１０４に基準信号を送信し、ＵＥ１０４は、チャネル推定値をノードＢ１０２に返信する。想定される基準信号の例としては、パイロット信号または標識信号が挙げられる。標識信号は、例えば、既知の振幅および周波数をもつ単一音信号である。基準信号の他の例としては、従来のＬＴＥシステムに使用される基準信号が挙げられる。この基準信号は、例えば、チャネル推定に使用されるシンボルの既知（送信機および受信機が予め知っている）のシーケンスである。基準信号のさらなる例は、3GPP TS 36.211 V8.2.0 (2008-03)に記載されているＺａｄｏｆｆ-Ｃｈｕシーケンスであってもよい。
【００３８】
また、ノードＢ１０２は、制御情報をＵＥ１０４に送信する。この制御情報は、ＵＥ１０４が使用するアップリンク変調方式を指示するものである。例えば、ノードＢ１０２は、ＵＥ１０４に制御情報を送信する。この制御情報は、ＯＦＤＭＡ、ＳＣ−ＦＤＭＡ、クラスタ化ＳＣ−ＦＤＭＡ、またはＮｘＳＣ−ＦＤＭＡの何れかを用いてアップリンク情報を送信するようＵＥ１０４に指示するものである。
【００３９】
ノードＢ１０２上のスケジューラは、サービスパラメータを供給する前に、サービスパラメータを決定する。このサービスパラメータとしては、例えば、ＵＥ１０４の符号化および変調方式などが挙げられる。スケジューラは、１つ以上のＵＥ１０４に対して通信チャネルを割当てる。このタスクを行うために、ノードＢ１０２は、周波数帯域の少なくとも一部に渡って全てのＵＥ１０４のチャネル品質情報を使用する。
【００４０】
図２は、本システムおよび方法を実施する無線通信システム２００を示す。無線通信システム２００は、ノードＢ２０２を有する。ノードＢ２０２は、第一ＵＥ２０４ａおよび第二ＵＥ２０４ｂと電気的に通信し得る。ノードＢ２０２は、ダウンリンク伝送２０８ａを介して第一ＵＥ２０４ａに情報を送信し、アップリンク伝送２０６ａを介して第一ＵＥ２０４ａから情報を受信する。同様に、ノードＢ２０２は、ダウンリンク伝送２０８ｂを介して第二ＵＥ２０４ｂに情報を送信し、アップリンク伝送２０６ｂを介して第二ＵＥ２０４ｂから情報を受信する。
【００４１】
ノードＢ２０２は、１つ以上の地理的領域に囲まれている。図２では、ノードＢ２０２は、ＧＡ１  ２１０およびＧＡ２  ２１２という２つの地理的領域に囲まれている。地理的領域は、ノードＢ２０２からの距離（相対距離）により定義される範囲である。例えば、ＧＡ１  ２１０は、ノードＢ２０２からの距離が或る半径以下である全範囲である。同様に、ＧＡ２  ２１２は、ノードＢ２０２からの距離が或る半径以下である全範囲のうち、ＧＡ１  ２１０に含まれない範囲である。あるいは、ＧＡ２  ２１２は、ＧＡ１  ２１０に含まれない範囲全体であってもよい。
【００４２】
ノードＢ２０２は、或るＵＥ２０４のスケジュール決定を、そのＵＥ２０４の位置に基づいて行う。このため、ＧＡ１  ２１０内にあるときとＧＡ２  ２１２内にあるときとで、ＵＥ２０４が異なるスケジューリングパラメータを受信するといったことが起こりえる。なお、ノードＢ２０２は、例えば、或るＵＥ２０４の位置を、ＵＥ２０４から受信したチャネル品質情報に基づいて決定することができる。
【００４３】
図２では、ＵＥ１  ２０４ａがＧＡ１  ２１０内で動作するものとして示されており、ＵＥ２  ２０４ｂがＧＡ２  ２１２内で動作するものとして示されている。ノードＢ２０２が、アップリンク伝送２０６をノードＢ２０２に送信するようにＵＥ１  ２０４ａおよびＵＥ２  ２０４ｂに命令する。ＵＥ１  ２０４ａのアップリンク伝送２０６ａには、ＵＥ２  ２０４ｂのアップリンク伝送２０６ｂと異なる変調方式を用いてもよい。例えば、ＬＴＥ−Ａｄｖａｎｃｅｄでは、ＵＥ２０４は、アップリンク変調方式として、例えば、ＳＣ−ＦＤＭＡ、ＯＦＤＭＡ、クラスタ化ＳＣ−ＦＤＭＡ、又はＮｘＳＣ−ＦＤＭＡを使用する。ＯＦＤＭＡ変調方式を用いることにより、ＭＩＭＯ受信用の改良型受信機を通信システム２００に導入することができる。ＯＦＤＭＡには、ＭＩＭＯ通信を用いる場合、受信機の複雑性を下げることができるという利点がある。一方、ＳＣ−ＦＤＭＡには、ＰＡＰＲおよび／または立方メトリック（ＣＭ）を低減させるという利点がある。したがって、アップリンク伝送２０６ａをノードＢ２０２に送信する場合、ＵＥ１  ２０４ａは、ＯＦＤＭＡ変調方式を用いることが有益である。これは、ＵＥ１  ２０４ａがＧＡ１  ２１０の範囲内に存在し、それ故に相対的にノードＢ２０２に近いからである。同様に、アップリンク伝送２０６ｂをノードＢ２０２に送信する場合、ＵＥ２  ２０４ｂは、ＳＣ−ＦＤＭＡ変調方式を用いることが有益である。これは、ＵＥ２  ２０４ｂがＧＡ２  ２１２内に存在し、それ故にセルの外縁又は外縁近傍に存在するからである。
【００４４】
図３は、本システムおよび方法を実施するために使用される様々な構成要素を示すものである。ノードＢ３０２を示す。ノードＢ３０２は、ＵＥ３０４に送信されるダウンリンク制御情報（ＤＣＩ）を含む。ＤＣＩ３１０は、ダウンリンク伝送３０８を介して（例えばＰＤＣＣＨを介して）ＵＥ３０４に送信される。ＤＣＩ３１０は、特定のフォーマット３１２で送信される。例えば、ＤＣＩ３１０は、フォーマット１  ３１２ａ、フォーマット１Ａ  ３１２ｂ、フォーマット１Ｂ  ３１２ｃ、およびフォーマット２  ３１２ｄであってもよい。
【００４５】
ＤＣＩフォーマット１Ａは、ＰＵＳＣＨのスケジューリングに使用される。表１−１は、ＤＣＩフォーマット１Ａによって送信される情報の例を含む。表１−１には、ＤＣＩフォーマット１Ａに含まれるフィールドと、各フィールドに関する説明とを示している。
【００４６】
【表１】
0005384617.tif 000002
【００４７】
フォーマットは、例えば、ＵＬ／ＤＬ（アップリンク／ダウンリンク）を弁別するためのフラグである。或る形態では、このフィールドは１ビットであってもよい。ホッピングフラグも１ビットであってよい。（ＤＣＩフォーマット１Ａには）リソースブロック割当てが含まれる。ＭＣＳは、変調および符号化方式（および冗長版）であり、或る形態では５ビットであってもよい。新規データインジケータは１ビットであってもよい。ＴＰＣ（伝送出力制御）フィールドは、スケジューリングされたＰＵＳＣＨのためのコマンドであり、２ビットであってもよい。或る形態では、ＤＭＲＳ（復調基準信号）の循環シフトは３ビットであってもよい。ＣＱＩ要求は１ビットであってもよい。表１−１の一番下に示されたフィールドはＲＮＴＩ／ＣＲＣ（無線ネットワーク一時識別子／周期的冗長検査）であり、これは、ＲＮＴＩがＣＲＣにおいて暗示的に符号化した１６ビットフィールドであってもよい。
【００４８】
これらは、フォーマット１Ａについて想定されるコンテンツの例である。フォーマット１Ａは、他の情報を含んでいてもよく、および／または、上記情報のいくつかを含んでいなくてもよい。
【００４９】
ＤＣＩフォーマット１は、ＰＵＳＣＨのスケジューリングに使用される。表１−２は、ＤＣＩフォーマット１によって送信される情報の例を含む。表１−２には、ＤＣＩフォーマット１に含まれるフィールドと、各フィールドに関する説明とを示している。
【００５０】
【表２】
0005384617.tif 000003
【００５１】
フォーマットは、ＵＬ／ＤＬ弁別のフラグであってもよい。或る形態では、このフィールドは１ビットであってもよい。リソース割当てヘッダは、リソース割当て型（０型または１型）を表してもよく、１ビットであってもよい。ホッピングフラグも１ビットであってよい。（ＤＣＩフォーマット１には）リソースブロック割当てが含まれる。ＭＣＳは、変調および符号化方式（および冗長版）であり、或る形態では５ビットであってもよい。新規データインジケータは１ビットであってもよい。ＴＰＣフィールドは、スケジューリングされたＰＵＳＣＨのためのコマンドであり、２ビットであってもよい。或る形態では、ＤＭＲＳの循環シフトは３ビットであってもよい。ＣＱＩ要求は１ビットであってもよい。表１−２の一番下に示されたフィールドはＲＮＴＩ／ＣＲＣ（無線ネットワーク一時識別子／周期的冗長検査）であり、これは、ＲＮＴＩがＣＲＣにおいて暗示的に符号化した１６ビットフィールドであってもよい。
【００５２】
これらは、想定され得るフォーマット１のコンテンツの例である。フォーマット１は、他の情報を含んでいてもよく、および／または、上記情報のいくつかを含んでいなくてもよい。
【００５３】
ＤＣＩフォーマット１Ｂは、ＰＵＳＣＨのスケジューリングに使用される。表１−３は、ＤＣＩフォーマット１Ｂによって送信される情報の例を含む。表１−３には、ＤＣＩフォーマット１Ｂに含まれるフィールドと、各フィールドに関する説明とを示している。
【００５４】
【表３】
0005384617.tif 000004
【００５５】
フォーマットは、ＵＬ／ＤＬ弁別のフラグであってもよい。或る形態では、このフィールドは１ビットであってもよい。ホッピングフラグも１ビットであってもよい。（ＤＣＩフォーマット１Ｂには）リソースブロック割当てが含まれる。ＭＣＳは、変調および符号化方式（および冗長版）であり、或る形態では５ビットであってもよい。（ＤＣＩフォーマット１Ｂには）プレコーディング情報またはプレコーディングマトリックスインデックス（ＰＭＩ）が含まれてもよい。新規データインジケータは１ビットであってもよい。ＴＰＣフィールドは、スケジューリングされたＰＵＳＣＨのためのコマンドであり、２ビットであってもよい。或る形態では、ＤＭＲＳの循環シフトは３ビットであってもよい。ＣＱＩ要求は１ビットであってもよい。表１−３の一番下に示されたフィールドはＲＮＴＩ／ＣＲＣであり、これは、ＲＮＴＩがＣＲＣにおいて暗示的に符号化した１６ビットフィールドであってもよい。
【００５６】
これらは、想定され得るフォーマット１Ｂのコンテンツの例である。フォーマット１Ｂは、他の情報を含んでいてもよく、および／または、上記情報のいくつかを含んでいなくてもよい。
【００５７】
ＤＣＩフォーマット２は、ＰＵＳＣＨのスケジューリングに使用される。表１−４は、ＤＣＩフォーマット２によって送信される情報の例を含む。表１−４には、ＤＣＩフォーマット２に含まれるフィールドと、各フィールドに関する説明とを示している。
【００５８】
【表４】
0005384617.tif 000005
【００５９】
フォーマットは、ＵＬ／ＤＬ（アップリンク／ダウンリンク）弁別のフラグであってもよい。或る形態では、このフィールドは１ビットであってもよい。リソース割当てヘッダは、リソース割当て型（０型または１型）を表してもよく、１ビットであってもよい。ホッピングフラグは、１ビットであってもよい。（ＤＣＩフォーマット２には）リソースブロック割当てが含まれる。レイヤ数という項目は、レイヤの個数を表す。レイヤ数フィールドのビット数は、アンテナの数を含む様々な因子によって変化し得る。（ＤＣＩフォーマット２には）プレコーディング情報またはプレコーディングマトリックスインデックス（ＰＭＩ）が含まれてもよい。２つのコード名または２つのトランスポートブロックが存在してもよい。第一トランスポートブロックのＭＣＳは、第一トランスポートブロックのための変調および符号化方式（および冗長版）であり、或る形態では５ビットであってもよい。第二トランスポートブロックのＭＣＳが存在してもよい。第一トランスポートブロックの新規データインジケータは、１ビットであってもよい。第二トランスポートブロックの新規データインジケータも、１ビットであってもよい。
【００６０】
ＨＡＲＱ（hybrid automatic repeat request）スワップフラグは、２つのトランスポートブロックをソフトバッファに格納する前に、これら２つのトランスポートブロックをスワップ（交換）すべきかを表す。ＴＰＣフィールドは、スケジューリングされたＰＵＳＣＨのコマンドであり、２ビットであってもよい。ある形態では、ＤＭＲＳの循環シフトは３ビットであってもよい。ＣＱＩ要求は１ビットであってもよい。表１−４の一番下に示されたフィールドはＲＮＴＩ／ＣＲＣであり、これは、ＲＮＴＩがＣＲＣにおいて暗示的に符号化した１６ビットフィールドであってもよい。
【００６１】
これらは、想定され得るフォーマット２のコンテンツの例である。フォーマット２は、他の情報を含んでいてもよく、および／または、上記情報のいくつかを含んでいなくてもよい。
【００６２】
ＤＣＩフォーマット３１２の意味は、３ＧＰＰ  ＬＴＥに適用される3GPP TS 36.212 v8.2.0にさらに詳しく記載されている。ＬＴＥ−Ａｄｖａｎｃｅｄは、ＬＴＥの拡張版である。関連するＤＣＩフォーマット３１２を表１−５に示す。ＤＣＩフォーマット３１２は、アップリンクデータ伝送の割当てを含んでいてもよい。例えば、ＤＣＩフォーマット３１２は、隣接ＲＢ割当て、非隣接ＲＢ割当て、変調および符号化方式（ＭＣＳ）、およびプレコーディングマトリックスインデックス（ＰＭＩ）を含んでいてもよい。
【００６３】
【表５】
0005384617.tif 000006
【００６４】
表１−５は、フォーマット１Ｂ  ３１２ｃおよびフォーマット２  ３１２ｄがＰＭＩ情報を含むことを表す。フォーマット２  ３１２ｄが２つのＭＣＳ情報を含む一方、フォーマット１Ｂ  ３１２ｃは、１つのＭＣＳ情報のみを含む。ノードＢ３０２は、ＵＥ３０４への送信に適したＤＣＩフォーマット３１２を選択するためのフォーマット選択モジュール３２０を有していてもよい。
【００６５】
ＤＣＩ３１０のフォーマット３１２は、ＵＥ３０４の伝送モード３２８に応じて異なっていてもよい。表２は、伝送モード３２８および対応するＤＣＩフォーマット３１２を示す。ここでは、ＵＥ３０４の伝送モード３２８が、ノードＢ３０２によって無線リソース制御（ＲＲＣ）信号伝達を介するように構成されていると仮定されている。フォーマット１  ３１２ａおよびフォーマット１Ａ  ３１２ｂは、ダイバーシティ伝送やビーム形成伝送などの、単一入力多重出力（ＳＩＭＯ）伝送に使用されてもよい。フォーマット２  ３１２ｄおよびフォーマット１Ａ  ３１２ｂは、単一ユーザＭＩＭＯ（ＳＵ−ＭＩＭＯ）伝送に使用されてもよい。フォーマット１Ｂ  ３１２ｃおよびフォーマット１Ａ  ３１２ｂは、マルチユーザ−ＭＩＭＯ（ＭＵ−ＭＩＭＯ）伝送またはＲＡＮＫ−１  ＳＵ−ＭＩＭＯに使用されてもよい。ＲＡＮＫ−１  ＳＵ−ＭＩＭＯは、ＳＵ−ＭＩＭＯのサブセットである。ＳＵ−ＭＩＭＯとＲＡＮＫ−１  ＳＵ−ＭＩＭＯとの違いは、ＲＡＮＫ−１  ＳＵ−ＭＩＭＯでは、レイヤの多重化が存在せず、１つのコード名のみが伝送される点である。
【００６６】
【表６】
0005384617.tif 000007
【００６７】
図３では、ユーザ装置（ＵＥ）３０４も示している。ＵＥ３０４は、受信したＤＣＩ３１０を含んでいてもよい。ＤＣＩ３１０は、ノードＢ３０２から受信されてもよい。ＵＥ３０４は、フォーマットデコーダ３２４を含んでいてもよい。フォーマットデコーダ３２４は、受信されたＤＣＩ３１０のフォーマットを決定するように構成されていてもよい。ＵＥ３０４は、アップリンクデータ伝送表３２６を含んでいてもよい。アップリンクデータ伝送表３２６は、受信したＤＣＩ３１０のフォーマットに基づいてＵＥ３０４のアップリンク変調方式を特定するように構成されていてもよい。例えば、アップリンクデータ伝送表３２６は、ＵＥ３０４が受信されたＤＣＩ３１０の或るフォーマットのアップリンク変調方式としてＯＦＤＭＡを使用し、受信されたＤＣＩ３１０の他のフォーマットのＳＣ−ＦＤＭＡを使用するということを特定してもよい。本システムおよび方法に使用されるアップリンクデータ伝送表３２６の例を表３、表４および表５に示す。
【００６８】
【表７】
0005384617.tif 000008
【００６９】
【表８】
0005384617.tif 000009
【００７０】
【表９】
0005384617.tif 000010
【００７１】
上述したように、ＵＥ３０４は、異なる伝送モード３２８で動作してもよい。例えば、ＵＥ３０４は、単一アンテナモード３３０、伝送ダイバーシティモード３３２、ビーム形成モード３３４、ＳＵ−ＭＩＭＯモード３３６、およびＭＵ−ＭＩＭＯモード３３８で動作してもよい。ノードＢ３０２は、ＵＥ３０４の伝送モード３２８に基づいてＤＣＩ３１０のフォーマットを選択してもよい。アップリンク伝送３０６の変調方式を選択すると、選択された変調方式に応じて、ＵＥ３０４がアップリンク伝送３０６をノードＢ３０２に送信してもよい。したがって、アップリンク伝送３０６は、ＳＣ−ＦＤＭＡまたはＯＦＤＭＡ／クラスタ化ＳＣ−ＦＤＭＡ／Ｎｘ−ＳＣ−ＦＤＭＡに応じて変調されてもよい。
【００７２】
図４は、アップリンク変調方式としてＳＣ−ＦＤＭＡとＯＦＤＭＡとをスイッチングするための方法４００を示すフローチャートである。図４の方法４００は、ＳＣ−ＦＤＭＡとクラスタ化ＳＣ−ＦＤＭＡとのスイッチング、およびＳＣ−ＦＤＭＡとＮｘＳＣ−ＦＤＭＡとのスイッチングに適用されてもよい。ＵＥ３０４は、ＤＣＩ３１０を受信する（Ｓ４０２）。ＵＥ３０４は、ＤＣＩ３１０のフォーマット３１２を復号する（Ｓ４０４）。そして、ＵＥ３０４は、受信したＤＣＩ３１０のフォーマットとアップリンク伝送表３２６とを比較することによって、アップリンク変調方式を決定する（Ｓ４０６）。ＵＥ３０４は、適したアップリンク変調方式を選択する（Ｓ４０８）。ＵＥ３０４は、アップリンク変調方式に応じてアップリンクデータ信号を送信する（Ｓ４１０）。
【００７３】
図５は、アップリンク変調方式としてＳＣ−ＦＤＭＡとＯＦＤＭＡとをスイッチングする方法５００をより詳しく示したフローチャートである。図示されていないが、図５の方法５００は、ＳＣ−ＦＤＭＡとクラスタ化ＳＣ−ＦＤＭＡとのスイッチング、およびＳＣ−ＦＤＭＡとＮｘＳＣ−ＦＤＭＡとのスイッチングに適用されてもよい。ＵＥ３０４はＤＣＩ３１０を受信する（Ｓ５０２）。ＵＥ３０４は、受信されたＤＣＩ３１０が非隣接ＲＢ割当てを含むかを決定する（Ｓ５０４）ことによってＤＣＩ３１０フォーマットを復号する。ＤＣＩ３１０が非隣接ＲＢ割当てを含む場合、ＵＥ３０４はアップリンク変調方式としてＯＦＤＭＡを選択する（Ｓ５０８）。ＵＥ３０４は、ＯＦＤＭＡ変調方式に基づいて信号を送信する（Ｓ５１０）。ＤＣＩ３１０が非隣接ＲＢ割当てを含まない場合、ＵＥ３０４は、受信したＤＣＩ３１０がＰＭＩ情報を含むかを決定する（Ｓ５０６）ことによってＤＣＩ３１０フォーマットを復号してもよい。受信したＤＣＩ３１０がＰＭＩ情報を含む場合、ＵＥ３０４は、アップリンク変調方式としてＯＦＤＭＡを選択し（Ｓ５０８）、ＯＦＤＭＡ変調方式に基づいて信号を送信する（Ｓ５１０）。受信したＤＣＩ３１０がＰＭＩ情報を含まない場合、ＵＥ３０４はアップリンク変調方式としてＳＣ−ＦＤＭＡを選択する（Ｓ５１２）。そして、ＵＥ３０４はＳＣ−ＦＤＭＡ変調方式に基づいて信号を送信する（Ｓ５１４）。
【００７４】
図６は、アップリンク変調方式としてＳＣ−ＦＤＭＡとＯＦＤＭＡとをスイッチングするための代わりの方法６００を示すフローチャートである。図示されていないが、図６の方法６００は、ＳＣ−ＦＤＭＡとクラスタ化ＳＣ−ＦＤＭＡとのスイッチング、およびＳＣ−ＦＤＭＡとＮｘＳＣ−ＦＤＭＡとのスイッチングに適用されてもよい。ＵＥ３０４は、ＤＣＩ３１０を受信する（Ｓ６０２）。ＵＥ３０４は、受信されたＤＣＩ３１０が非隣接ＲＢ割当てを含むかを決定する（Ｓ６０４）。ＤＣＩ３１０が非隣接ＲＢ割当てを含む場合、ＵＥ３０４はアップリンク変調方式としてＯＦＤＭＡを選択し（Ｓ６０８）、その後、ＯＦＤＭＡ変調方式に基づいて信号を送信する（Ｓ６１０）。ＤＣＩ３１０が非隣接ＲＢ割当てを含まない場合、ＵＥ３０４はアップリンク変調方式としてＳＣ−ＦＤＭＡを選択する（Ｓ６１２）。ＵＥ３０４は、ＳＣ−ＦＤＭＡ変調方式に基づいて信号を送信する（Ｓ６１４）。
【００７５】
図７は、アップリンク変調方式としてＳＣ−ＦＤＭＡとＯＦＤＭＡとをスイッチングするための他の方法７００を示すフローチャートである。図示されていないが、図７の方法７００は、ＳＣ−ＦＤＭＡとクラスタ化ＳＣ−ＦＤＭＡとのスイッチング、およびＳＣ−ＦＤＭＡとＮｘＳＣ−ＦＤＭＡとのスイッチングに適用されてもよい。ＵＥ３０４は、まず、ＤＣＩ３１０を受信する（Ｓ７０２）。ＵＥ３０４は、受信したＤＣＩ３１０が非隣接ＲＢ割当てを含むかを決定する（Ｓ７０４）。ＤＣＩ３１０が非隣接ＲＢ割当てを含む場合、ＵＥ３０４はアップリンク変調方式としてＯＦＤＭＡを選択する（Ｓ７１２）。ＤＣＩ３１０が非隣接ＲＢ割当てを含まない場合、ＵＥ３０４は、ＤＣＩ３１０がＰＭＩ情報を含むかを決定する（Ｓ７０６）。
【００７６】
ＤＣＩ３１０がＰＭＩ情報を含まない場合、ＵＥ３０４はアップリンク変調方式としてＳＣ−ＦＤＭＡを選択する（Ｓ７１６）。ＤＣＩ３１０がＰＭＩ情報を含まない場合、ＵＥ３０４は、ＤＣＩ３１０がＭＣＳを１つだけ含むかを決定する（Ｓ７０８）ことによってＤＣＩ３１０フォーマットを復号する。ＤＣＩ３１０がＭＣＳを複数個含む（すなわち、１つ以上のＭＣＳを含む）場合、ＵＥ３０４はアップリンク変調方式としてＯＦＤＭＡを選択する（Ｓ７１２）。ＤＣＩ３１０がＭＣＳを１つだけ含む場合、ＤＣＩ３１０フォーマットはフォーマット１Ｂ３１２ｃであり、ＵＥ３０４は、フォーマット１Ｂ３１２ｃにおけるＤＣＩスイッチングビットがＯＦＤＭＡまたはＳＣ−ＦＤＭＡに設定されているかを決定してもよい（Ｓ７１０）。フォーマット１Ｂ３１２ｃにおけるＤＣＩスイッチングビットがＯＦＤＭＡに設定されている場合、ＵＥ３０４はアップリンク変調方式としてＯＦＤＭＡを選択する（Ｓ７１２）。フォーマット１Ｂ３１２ｃにおけるＤＣＩスイッチングビットがＳＣ−ＦＤＭＡに設定されている場合、ＵＥ３０４はアップリンク変調方式としてＳＣ−ＦＤＭＡを選択する（Ｓ７１６）。
【００７７】
ＵＥ３０４がアップリンク変調方式としてＯＦＤＭＡを選択すると、ＵＥ３０４はＯＦＤＭＡ変調方式に基づいてアップリンクにおいて信号を送信する（Ｓ７１４）。同様に、ＵＥ３０４がアップリンク変調方式としてＳＣ−ＦＤＭＡを選択すると、ＵＥ３０４はＳＣ−ＦＤＭＡ変調方式に基づいてアップリンクにおいて信号を送信する（Ｓ７１８）。
【００７８】
図８は、ノードＢ８０２とＵＥ８０４との間のレイヤ１（Ｌ１）／レイヤ２（Ｌ２）信号伝達８００を示す。Ｌ１／Ｌ２信号伝達は、ＰＤＣＣＨを介したノードＢ８０２からＵＥ８０４への制御信号の送信である。ＵＥ８０４は、ＰＵＣＣＨ／ＰＵＳＣＨ８０６を介してＣＱＩフィードバックをノードＢ８０２に送信する。ノードＢ８０２は、ＰＤＣＣＨ８０８を介してＵＥ８０４に制御情報を送信する。ＰＤＣＣＨ８０８の制御情報は、アップリンク変調方式としてＳＣ−ＦＤＭＡまたはＯＦＤＭＡを選択すべきかをＵＥ８０４に命令するＤＣＩ３１０を含んでいてもよい。その後、ＵＥ８０４は、ＰＵＳＣＨ８１０を介してアップリンクデータ伝送を送信してもよい。ＰＵＳＣＨ８１０のアップリンクデータ伝送は、選択されたアップリンク変調方式に基づいて変調されてもよい。
【００７９】
図９は、ＬＴＥアップリンク伝送のＲＢ割当てを示す。ＲＢ割当ては、フォーマット１Ａ３１２ｂやフォーマット１Ｂ３１２ｃなどのＳＣ−ＦＤＭＡ伝送における隣接割当てであってもよい。システムの帯域幅の両端がＰＵＣＣＨ９０２、９０６に割当てられ、内部帯域幅がＰＵＳＣＨ９０４に割当てられる。Release８ＵＥにおけるＬＴＥ  ＲＢのサブバンドは２０ＭＨｚである。ＬＴＥ−Ａｄｖａｎｃｅｄシステムでは、システムの帯域幅が４０ＭＨｚ以上に拡張されてもよい。ＬＴＥ−ＡｄｖａｎｃｅｄがＬＴＥとの下位互換を必要とするので、ＬＴＥ−Ａｄｖａｎｃｅｄ  ＵＥのスペクトル割当ては、帯域幅が、ＰＵＣＣＨ９０２、９０６に対するスペクトル端の割当てが原因で２０ＭＨｚよりも大きい場合に非隣接である。
【００８０】
ＬＴＥ-Ａｄｖａｎｃｅｄ標準に基づいて構成されたシステムを得る方法は、周波数領域においてＬＴＥシステムを連結させることにある。周波数領域においてＬＴＥシステムを連結させることによって、ＬＴＥ-Ａｄｖａｎｃｅｄシステムは、１つのシステム帯域幅として広い帯域幅を使用することができ、より高いスループットを達成することができる。しかし、ＵＥ３０４は、ＰＵＣＣＨ９０２、９０６に割当てられたＲＢにおけるアップリンクデータを送信することができない。これにより、フォーマット１ＡのＲＢ割当てがＰＵＣＣＨ９０２、９０６に割当てられたＲＢを含む場合は特に、ＰＵＳＣＨ９０４信号と他のＵＥのＰＵＣＣＨ９０２、９０６信号との間にコンフリクトが生じる可能性がある。ＬＴＥ−Ａｄｖａｎｃｅｄでは、ＳＣ−ＦＤＭＡのＲＢは、連続して割当てられるが、帯域幅が２０ＭＨｚよりも大きい場合、ＬＴＥ−Ａｄｖａｎｃｅｄ  ＵＥのスペクトル割当ては隣接していない。
【００８１】
この問題に対する１つの解決策は、クラスタ化ＳＣ−ＦＤＭＡを実行することである。クラスタ化ＳＣ−ＦＤＭＡでは、ＤＦＴ（離散型フーリエ変換）の出力は、ＩＦＦＴ（逆高速フーリエ変換）の入力にマッピングされる。このＵＬアクセス方式では、ＤＦＴ出力が複数のクラスタに分割され、ＩＦＦＴにマッピングされる。これらのクラスタの間は、ゼロ入力で満たされていてもよい。言い換えれば、これらのクラスタの間はパンクチャされる。クラスタ化ＳＣ−ＦＤＭＡは、この機構によって非隣接周波数割当てをサポートする。
【００８２】
図１０は、ＬＴＥ−Ａｄｖａｎｃｅｄアップリンク伝送のＲＢ割当てを示す。ＰＵＳＣＨ信号と他のＵＥのＰＵＣＣＨ信号とのコンフリクトを解決するには、上述したようにクラスタ化ＳＣ−ＦＤＭＡを用いてＰＵＣＣＨに割当てられたリソース（ＲＢ）をパンクチャする。これは、ＩＦＦＴ入力に対して割当てがされないことを意味する。したがって、ＰＤＣＣＨを介して信号送信されたＲＢ割当てにおいて、ＵＥ３０４はＰＵＣＣＨ  ＲＢ１００２ａ、１００２ｂ、１００６ａ、１００６ｂの割当てを自動的に除去する。言い換えれば、ＵＥ３０４はＰＵＣＣＨ  ＲＢ１００２ａ、１００２ｂ、１００６ａ、１００６ｂにおける信号を全く送信しない。さらに、ＲＢ１００４ａ、１００４ｂがＰＵＳＣＨに割当てられる。
【００８３】
ＰＵＣＣＨ  ＲＢ１００２ａ、１００２ｂ、１００６ａ、１００６ｂにおける信号を送信しないようにするために、ＵＥ３０４は、ＰＵＣＣＨに割当てられた正確なＲＢ１００２ａ、１００２ｂ、１００６ａ、１００６ｂを検出してもよい。ＵＥ３０４は、「最大ＳＲＳ（sounding reference signal）帯域幅」および／または「ＰＵＣＣＨリソースサイズ」を用いて、ＰＵＣＣＨに割当てられた正確なＲＢ１００２ａ、１００２ｂ、１００６ａ、１００６ｂを決定してもよい。ＵＥ３０４は、放送チャネル（ＢＣＨ）におけるＲＲＣ信号伝達を介して「最大ＳＲＳ帯域幅」および「ＰＵＣＣＨリソースサイズ」を受信してもよい。そして、ＵＥ３０４は、表３、表４、および表５のフォーマットを用いて、ＰＵＣＣＨに割当てられたＲＢ１００２ａ、１００２ｂ、１００６ａ、１００６ｂをパンクチャする。したがって、ＵＥ３０４はＰＵＣＣＨに割当てられたＲＢ１００２ａ、１００２ｂ、１００６ａ、１００６ｂを自動的に除去し、残りのＰＵＳＣＨ  ＲＢ１００８、１０１０におけるアップリンクのみを送信する。
【００８４】
さらに、上記解決策を用いて、表３、表４および表５のフォーマット１Ａおよび１Ｂを、広域のＲＢ割当て、例えば２０ＭＨｚを上回るＲＢ割当て、またはＰＵＣＣＨ  ＲＢを含むＲＢ割当てなどを通知するために使用することができる。そうでない場合、ＰＵＣＣＨ  ＲＢとのコンフリクトを避けるため、上記広域のＲＢ割当てを通知するために表３のフォーマット１などの非隣接ＲＢ割当てを使用しければならない。
【００８５】
上述したように、クラスタ化ＳＣ−ＦＤＭＡソリューションを、ＰＵＣＣＨ  ＲＢとのコンフリクトを避けるために使用してもよい。しかし、システムおよび方法は、クラスタ化ＳＣ−ＦＤＭＡの代わりに、ＮｘＳＣ−ＦＤＭＡまたはＯＦＤＭＡを使用してもよい。
【００８６】
図１１は、上記システムおよび方法の一形態に基づくＵＥ１１０４を示すブロック図である。ＵＥ１１０４は、移動局、加入者設備、アクセス端末、遠隔ステーションなどと称してもよい。ＵＥ１１０４は、送信機１１１０および受信機１１１２を備えた送受信機１１２０を有する。送受信機１１２０は、１つ以上のアンテナ１１１８に連結されている。ＵＥ１１０４は、デジタル信号処理部（ＤＳＰ）１１１４、汎用プロセッサ１１１６、メモリ１１０８、および通信用インターフェース１１２４をさらに有する。ＵＥ１１０４の様々な構成要素が筺体１１２２内に含まれる。
【００８７】
プロセッサ１１１６は、ＵＥ１１０４の動作を制御する。プロセッサ１１１６は、ＣＰＵと称してもよい。読取り専用メモリ（ＲＯＭ）およびランダムアクセスメモリ（ＲＡＭ）を含むメモリ１１０８が、プロセッサ１１１６に命令１１３６およびデータ１１３４を与える。メモリ１１０８は、プロセッサ１１１６と電気的に接続されている。また、メモリ１１０８の一部が不揮発性 ランダムアクセスメモリ（ＮＶＲＡＭ）を含んでいてもよい。メモリ１１０８は、電子情報を保存することができるあらゆる電子部品を含んでいてもよく、ＲＯＭ、ＲＡＭ、磁気ディスク記憶媒体、光学記憶媒体、フラッシュメモリ、プロセッサ１１１６に含まれる搭載メモリ、ＥＰＲＯＭメモリ、ＥＥＰＲＯＭメモリ、レジスタ、ハードディスク、リムーバブルディスク、ＣＤ−ＲＯＭなどとして実施されていてもよい。
【００８８】
メモリ１１０８は、プログラム命令１１３６および他のタイプのデータ１１３４を保存してもよい。例えば、メモリ１１０８は、ＤＣＩ１１４０を受信するための命令１１５０や、受信したＤＣＩ１１４０のフォーマットを復号するための命令１１５２などのプログラム命令１１３６を保存してもよい。ＤＣＩ１１４０の形態は、伝送モード１１４４に応じて異なっていてもよい。プログラム命令１１３６は、ＤＣＩフォーマットに基づいてアップリンク変調方式を決定するための命令１１５４を含んでいてもよい。アップリンクデータ伝送表１１４２は、受信したＤＣＩ１１４０のフォーマットに基づいてＵＥ１１０４のアップリンク変調方式を特定するように構成されていてもよい。プログラム命令１１３６は、アップリンク変調方式を選択するための命令１１５６と、選択されたアップリンク変調方式に基づいてアップリンク信号を送信するための命令１１５８とを含んでいてもよい。プログラム命令１１３６は、ＤＣＩ１１４０が非隣接ＲＢ割当てを含むかを決定するための命令１１６０と、ＤＣＩ１１４０がＰＭＩを含むかを決定するための命令１１６２と、ＤＣＩ１１４０がＭＣＳを含むかを決定するための命令１１６４と、ＤＣＩスイッチングビット設定を決定するための命令１１６６とを含む。
【００８９】
本願に記載された技術の実施に関する他のタイプの命令１１３６およびデータ１１３４がメモリ１１０８に含まれてもよい。アップリンク変調方式は、ＳＣ−ＦＤＭＡ、ＯＦＤＭＡ、ＮｘＳＣ−ＦＤＭＡ、またはクラスタ化ＳＣ−ＦＤＭＡであってもよい。これらの命令は、ＤＣＩがＲＢ割当て、ＰＭＩまたはＭＣＳのみを含むかを決定するステップをさらに含む、ＤＣＩフォーマットの復号工程を備えていてもよい。これらの命令は、ＤＣＩスイッチングビットに基づいて選択するステップを含んでいてもよい。
【００９０】
ある形態では、ＵＥは３ＧＰＰ  ＬＴＥ−Ａｄｖａｎｃｅｄシステムにおける動作のために構成されていてもよい。
【００９１】
或る形態では、アップリンク変調方式は、ＤＣＩフォーマットが非隣接リソースブロック（ＲＢ）割当て、および／またはプレコーディングマトリックスインデックス（ＰＭＩ）を含む場合、直交周波数分割多元接続（ＯＦＤＭＡ）またはクラスタ化シングルキャリア周波数分割多元接続（クラスタ化ＳＣ−ＦＤＭＡ）、またはＮ（Ｎは自然数）×シングルキャリア周波数分割多元接続（ＮｘＳＣ−ＦＤＭＡ）であってもよい。そして、アップリンク変調方式は、ＤＣＩフォーマットが非隣接ＲＢ割当てまたはＰＭＩを含まない場合、シングルキャリア周波数分割多元接続（ＳＣ−ＦＤＭＡ）であってもよい。
【００９２】
一形態では、アップリンク変調方式は、ＤＣＩフォーマットが非隣接リソースブロック（ＲＢ）割当てを含む場合、直交周波数分割多元接続（ＯＦＤＭＡ）またはクラスタ化シングルキャリア周波数分割多元接続（クラスタ化ＳＣ−ＦＤＭＡ）、またはＮ（Ｎは自然数）×シングルキャリア周波数分割多元接続（ＮｘＳＣ−ＦＤＭＡ）であってもよい。そして、ＤＣＩフォーマットが隣接ＲＢ割当てを含む場合、アップリンク変調方式はシングルキャリア周波数分割多元接続（ＳＣ−ＦＤＭＡ）であってもよい。
【００９３】
一形態では、アップリンク変調方式は、ＤＣＩフォーマットが非隣接リソースブロック（ＲＢ）割当てを含む場合、直交周波数分割多元接続（ＯＦＤＭＡ）またはクラスタ化シングルキャリア周波数分割多元接続（クラスタ化ＳＣ−ＦＤＭＡ）、またはＮ（Ｎは自然数）×シングルキャリア周波数分割多元接続（ＮｘＳＣ−ＦＤＭＡ）であってもよい。ここで、ＤＣＩフォーマットが非隣接ＲＢ割当ておよびプレコーディングマトリックスインデックス（ＰＭＩ）を含まない場合、アップリンク変調方式はシングルキャリア周波数分割多元接続（ＳＣ−ＦＤＭＡ）である。そして、ＤＣＩフォーマットが隣接ＲＢ割当ておよびプレコーディングマトリックスインデックス(PMI)を含む場合、アップリンク変調方式は、スイッチングビットに応じてＯＦＤＭＡまたはＳＣ−ＦＤＭＡのいずれかである。
【００９４】
一形態では、アップリンク変調方式を決定する命令は、ＤＣＩフォーマットとアップリンクデータ伝送表とを比較するステップを含んでいてもよい。さらに、命令は、物理アップリンク制御チャネル（ＰＵＣＣＨ）に割当てられたリソースをパンクチャするためにアップリンクデータ伝送表のフォーマットを使用するように実行可能であってもよい。そして、リソースのパンクチャは、無線リソース制御（ＲＲＣ）信号伝達を介してＵＥに連絡されてもよい。さらに、ＲＲＣ信号伝達が、放送チャネル（ＢＣＨ）における「最大ＳＲＳ帯域幅」および／または「ＰＵＣＣＨリソースサイズ」を指してもよい。
【００９５】
プログラム命令１１３６は、プロセッサ１１１６によって、本願に開示した方法のいくつか、または全てを実施するように実行されてもよい。プロセッサ１１１６は、本願に開示された方法のいくつか、または全てを実行するために、メモリ１１０８内に保存されたデータ１１３４を使用してもよい。その結果、プロセッサ１１１６によって命令１１３６およびデータ１１３４が読み込まれ、および／または使用されてもよい。
【００９６】
開示されたシステムおよび方法によると、アンテナ１１１８は、ノードＢ１０２などの近傍にある通信機器から送信されたダウンリンク信号を受信してもよい。アンテナ１１１８は、これらの受信信号を送受信機１１２０に供給し、送受信機１１２０が信号をフィルタリングおよび増幅する。信号は、送受信機１１２０からＤＳＰ１１１４に、および復調、復号、および更なるフィルタリングなどのために汎用プロセッサ１１１６に供給される。
【００９７】
ＵＥ１１０４の様々な構成要素がバスシステム１１２６によって連結されている。バスシステム１１２６は、電力バス、制御信号バス、およびデータバスに加えてステータス信号バスを含んでいてもよい。しかし、明確にするために、様々なバスがバスシステム１１２６として図１１に示されている。
【００９８】
図１２は、上記システムおよび方法に係る或る形態に基づく基地局１２０２のブロック図である。基地局１２０２は、ノードＢ（ＮＢ）、基地局制御部、基地局送受信機などと称されてもよい。
【００９９】
基地局１２０２は、図１１のＵＥ１１０４の構成要素と類似する多くの構成要素である、プロセッサ１２１６、データ１２３４および命令１２３６を保存するメモリ１２０８、送信機１２１０および受信機１２１２を含む送受信機１２２０、アンテナ１２１８、システムバス１２２６、ＤＳＰ１２１４、通信用インターフェース１２２４、および筺体１２２２を有する。
【０１００】
メモリ１２０８は、ＵＥ位置１２４２を決定するための命令１２５０、ＵＥが使用するＵＥアップリンク変調方式を決定するための命令１２５２、ＵＥアップリンク変調方式に対応するＤＣＩフォーマットを決定および選択するための命令１２５４、およびＤＣＩフォーマットに基づいてＤＣＩ１２４０をＵＥに送信（伝送）するための命令１２５６を保存する。基地局は、３ＧＰＰ  ＬＴＥ−Ａｄｖａｎｃｅｄシステムにおいて動作するように構成されていてもよい。
【０１０１】
本願に開示した技術の実行に関する他のタイプの命令１２３６およびデータ１２３４がメモリ１２０８に含まれていてもよい。これらの命令は、伝送モードまたはＵＥの位置に基づいてＤＣＩのフォーマットを選択するステップ、およびＬ１／Ｌ２信号伝達を用いてＤＣＩをＵＥに送信するステップを含んでいてもよい。
【０１０２】
開示されたシステムおよび方法に基づいて、アンテナ１２１８は、ＵＥ１１０４などの近傍の通信機器から送信されたアップリンク信号を受信してもよい。アンテナ１２１８は、これらの受信信号を送受信機１２２０に提供し、送受信機１２２０がこれらの受信信号をフィルタリングおよび増幅する。これらの信号は、送受信機１２２０からＤＳＰ１２１４と汎用プロセッサ１２１６とに供給される。汎用プロセッサ１２１６は、復調、復号、および更なるフィルタリングなどのためのものである。
【０１０３】
上記説明では、様々な用語に関して参照番号を用いた場合がある。ある参照番号と関連して或る用語を用いる場合、１つ以上の図に示された特定の要素を指すことを意味する。参照番号を用いずに用語を使用する場合、特定の図面に限定せずに広く当該用語を指すことを意味する。例えば、「基地局１２０２」は、図１２に示された特定の基地局を表す。しかし、参照番号を用いずに「基地局」という用語を使用するときには、用語が使用されている文脈に適したいずれかの基地局を指し、図面に示された特定の基地局に限定するものではない。
【０１０４】
本願に使用するように、「決定」という用語は、広範に渡る行為を含む。すなわち、「決定」は、計算、演算、処理、抽出、調査、ルックアップ（例えば表、データベースまたは他のデータ構造のルックアップ）、解明などを含み得る。また、「決定」は、受信（例えば情報の受信）、アクセス（例えばメモリ内のデータへのアクセス）などを含み得る。また、「決定」は、分解、セレクト、選択、確立なども含み得る。
【０１０５】
「〜に基づく」（「〜に応じた」）という言葉は、特に指定されていない限りは、「〜のみに基づく」（（「〜のみに応じた」）という意味ではない。言い換えれば、「〜に基づく」という言葉は、「〜のみに基づく」および「少なくとも〜に基づく」の両方を指す。
【０１０６】
「プロセッサ」という用語は、汎用プロセッサ、中央演算処理装置（ＣＰＵ）、マイクロプロセッサ、デジタル信号処理装置（ＤＳＰ）、制御部、マイクロコントローラ、状態機械などを広く含むと解釈すべきものである。ある状況下では、「プロセッサ」は特定用途向け集積回路（ＡＳＩＣ）、プログラム可能な論理機器（ＰＬＤ）、フィールドプログラマブルゲートアレイ（ＦＰＧＡ）などを指してもよい。「プロセッサ」という用語は、ＤＳＰおよびマイクロプロセッサの組合せ、複数のマイクロプロセッサ、ＤＳＰコアと組み合わせた１つ以上のマイクロプロセッサ、または他の形態などの処理装置の組合せを指してもよい。
【０１０７】
「メモリ」という用語は、電子情報を保存することができるあらゆる電子機器を広く含むと解釈すべきものである。メモリという用語は、ランダムアクセスメモリ（ＲＡＭ）、読取り専用メモリ（ＲＯＭ）、不揮発性ランダムアクセスメモリ（ＮＶＲＡＭ）、プログラム可能な読取り専用メモリ（ＰＲＯＭ）、消去可能な読取り専用メモリ（ＥＰＲＯＭ）、電気的消去可能なＰＲＯＭ（ＥＥＰＲＯＭ）、フラッシュメモリ、磁気または光学データ記憶装置、レジスタなどの様々なタイプのプロセッサ読取り可能媒体を指していてもよい。メモリは、プロセッサがメモリから情報を読み取る、および／またはメモリに情報を書き込む場合、プロセッサと電気的に接続されていると言える。プロセッサに統合されたメモリは、プロセッサと電気的に接続されている。
【０１０８】
「命令」および「コード」という用語は、任意のタイプのコンピュータが読み取り可能な情報（ステートメント）を含むと広義に解釈すべきものである。例えば、「命令」および「コード」という用語は、１つ以上のプログラム、ルーチン、サブルーチン、機能、処理などを指してもよい。「命令」および「コード」は、単一のコンピュータが読み取り可能な情報または複数のコンピュータが読み取り可能な情報を含んでいてもよい。本願において「命令」および「コード」を互いに入れ替えて使用してもよい。
【０１０９】
本願に記載された機能は、ハードウエア、ソフトウエア、ファームウエアまたはそれらの組合せで実施されてもよい。ソフトウエアにおいて実施する場合、機能は、コンピュータ読み取り可能な媒体における１つ以上の命令として保存されてもよい。コンピュータ読み取り可能な媒体は、ダウンリンク制御情報（ＤＣＩ）を受信し、ＤＣＩフォーマットを復号し、ＤＣＩフォーマットに基づいてアップリンク変調方式を決定し、アップリンク変調方式を選択し、アップリンク変調方式に基づいてアップリンク信号を送信するための命令を実行してもよい。「コンピュータ読取り可能な媒体」という用語は、コンピュータによってアクセス可能なあらゆる利用可能媒体を指す。限定するものではないが、例えば、コンピュータ読取り可能な媒体は、ＲＡＭ、ＲＯＭ、ＥＥＰＲＯＭ、ＣＤ−ＲＯＭ、もしくは他の光学ディスク記憶装置、磁気ディスク記憶装置、もしくは他の磁気記憶装置、または命令形式もしくはデータ構造の形式の所望のプログラムコードを実行または保存するために使用され、コンピュータによってアクセス可能な他のいずれかの媒体を含んでいてもよい。本願に使用する「ディスク」とは、コンパクトディスク（ＣＤ）、レーザディスク、光学ディスク、デジタルビデオディスク（ＤＶＤ）、フロッピー（登録商標）ディスクおよびＢｌｕ−ｒａｙ（登録商標）ディスクを含む。通常は、ディスクはデータを磁気的に再生するが、これらのディスクは、レーザを用いて光学的にデータを再生する。
【０１１０】
ソフトウエアまたは命令は、伝送媒体を介して送信されてもよい。例えば、ソフトウエアが、同軸ケーブル、光ファイバーケーブル、ツイストペア、デジタル加入者回線（ＤＳＬ）、または、赤外線や電波やマイクロ波などの無線技術を用いてウェブサイト、サーバ、または他の遠隔ソースに送信される場合、同軸ケーブル、光ファイバケーブル、ツイストペア、ＤＳＬ、または、赤外線や電波やマイクロ波などの無線技術は伝送媒体の定義に含まれる。
【０１１１】
本願に記載された方法は、上記方法を得るための１つ以上のステップまたは動作を含む。方法のステップおよび／または動作は、請求項の範囲から逸脱することなく互いに交換可能である。言い換えれば、上記方法を正しく実施するために特定の順序のステップまたは動作が必要ではない限り、請求項の範囲から逸脱することなく特定のステップおよび／または動作の順序および／または使用を変更してもよい。
【０１１２】
請求項は、上記形態および構成要素そのものに限定するわけではないことを理解されたい。請求項の範囲から逸脱することなく、本願に記載のシステム、方法、および装置の配列、動作および詳細に変更および変形を加えてもよい。
【産業上の利用可能性】
【０１１３】
例えば、ＯＦＤＭＡとＳＣ−ＦＤＭＡとを切り替えるためのシステムおよび方法として利用することができる。
【符号の説明】
【０１１４】
Ｓ４０２  ＤＣＩ受信ステップ
Ｓ４０４  ＤＣＩフォーマット復号ステップ
Ｓ４０６  アップリンク変調方式決定ステップ
Ｓ４０８  アップリンク変調方式選択ステップ
Ｓ４１０  アップリンク信号送信ステップ
【図１】
0005384617.tif 000011
【図２】
0005384617.tif 000012
【図３】
0005384617.tif 000013
【図４】
0005384617.tif 000014
【図５】
0005384617.tif 000015
【図６】
0005384617.tif 000016
【図７】
0005384617.tif 000017
【図８】
0005384617.tif 000018
【図９】
0005384617.tif 000019
【図１０】
0005384617.tif 000020
【図１１】
0005384617.tif 000021
【図１２】
0005384617.tif 000022